(57)【要約】【課題】屈折率分布型レンズアレイの製造上のバラツキに影響を受けない安定した画質の読取画像を得ることを可能とした画像読取装置及び制御方法を提供する。【解決手段】画像読取装置のコントローラ７０１は、万線チャートを密着型イメージセンサ７２１により読み取り、万線チャートの全域についてＭＴＦ演算を行うと共に、万線チャートの高さを徐々に高くまたは低くしていく。万線チャートの全域の平均ＭＴＦ値が目標値に達していない場合は万線チャートの高さを再度調整する。平均ＭＴＦ値が目標値に達している場合はＭＴＦ調整データと万線チャートの高さ条件データをＥＥＰＲＯＭ７０５に記憶する。更に平均ＭＴＦ値から規定レベル以上外れている特異点を検出し、ＭＴＦ補正フィルタを選択し、検出したＭＴＦ特性の特異点の位置を示すデータ、選択したＭＴＦ補正フィルタの係数をＥＥＰＲＯＭ７０５に記憶する。【選択図】図１１
2008278419.tif 000002
【特許請求の範囲】
【請求項１】
光源により照明した原稿の反射光を屈折率分布型レンズアレイによりラインセンサに集光することで原稿の画像を読み取る画像読取装置において、
前記画像読取装置に装填された検査原稿の読取結果に基づき、前記屈折率分布型レンズアレイのＭＴＦ（Modulation Transfer Function）特性を調整可能に構成され、
前記屈折率分布型レンズアレイのＭＴＦ特性の調整時に決定された前記検査原稿の装填位置を示すデータを保存する記憶手段、を備えることを特徴とする画像読取装置。
【請求項２】
光源により照明した原稿の反射光を屈折率分布型レンズアレイによりラインセンサに集光することで原稿の画像を読み取る画像読取装置において、
前記画像読取装置に装填された検査原稿の読取結果に基づき、前記屈折率分布型レンズアレイのＭＴＦ（Modulation Transfer Function）値を算出する算出手段と、
前記算出手段により算出されたＭＴＦ値が規定値を超えるＭＴＦ特性の特異点を検出する検出手段と、
前記検出手段により検出されたＭＴＦ特性の特異点を補正する補正係数を設定する設定手段と、
前記検出手段により検出されたＭＴＦ特性の特異点の位置を示すデータ、前記設定手段により設定された補正係数を保存する記憶手段と、を備えることを特徴とする画像読取装置。
【請求項３】
光源により照明した原稿の反射光を屈折率分布型レンズアレイによりラインセンサに集光することで原稿の画像を読み取る画像読取装置において、
前記画像読取装置に装填された検査原稿の読取結果に基づき算出された、前記屈折率分布型レンズアレイのＭＴＦ（Modulation Transfer Function）特性の特異点の位置を示すデータ、ＭＴＦ特性の特異点の補正処理に関するデータを保存する記憶手段と、
前記記憶手段に保存されたデータに基づきＭＴＦ特性の特異点を補正する補正手段と、を備えることを特徴とする画像読取装置。
【請求項４】
前記検査原稿は、前記屈折率分布型レンズアレイの配列方向に対応して少なくとも２種類の色の部分が交互に配列された万線チャートを含む群から選択されることを特徴とする請求項１乃至３のいずれかに記載の画像読取装置。
【請求項５】
前記屈折率分布型レンズアレイと前記ラインセンサとの間の規定画素間隔毎の解像度又は画素単位での解像度を記憶する第２の記憶手段を更に備えることを特徴とする請求項１乃至３のいずれかに記載の画像読取装置。
【請求項６】
前記光源は、キセノンランプ、発光ダイオードを含む低消費電力型の光源から選択されることを特徴とする請求項１乃至３のいずれかに記載の画像読取装置。
【請求項７】
前記屈折率分布型レンズアレイのＭＴＦ特性の特異点を示す情報を記載したラベルが視認可能に添付されることを特徴とする請求項１乃至３のいずれかに記載の画像読取装置。
【請求項８】
前記設定手段は、ＭＴＦ特性の特異点を補正する補正対象領域において複数の補正係数を切り替えると共に、前記補正対象領域の中央部の補正係数を前記補正対象領域の両端部の補正係数より大きくなるよう設定することを特徴とする請求項２記載の画像読取装置。
【請求項９】
前記算出手段は、前記検査原稿を読み取った際の前記２種類の色の読取レベルに基づきＭＴＦ値を算出することを特徴とする請求項２、４のいずれかに記載の画像読取装置。
【請求項１０】
前記記憶手段は、前記屈折率分布型レンズアレイと前記ラインセンサを有するユニット側、前記画像読取装置の制御側のいずれかに装備されることを特徴とする請求項２、３のいずれかに記載の画像読取装置。
【請求項１１】
前記記憶手段に保存されたデータに基づきＭＴＦ特性の特異点を補正する補正手段を更に備えることを特徴とする請求項２記載の画像読取装置。
【請求項１２】
光源により照明した原稿の反射光を屈折率分布型レンズアレイによりラインセンサに集光することで原稿の画像を読み取る画像読取装置の制御方法において、
前記画像読取装置に装填された検査原稿の読取結果に基づき、前記屈折率分布型レンズアレイのＭＴＦ（Modulation Transfer Function）値を算出する算出ステップと、
前記算出ステップにより算出されたＭＴＦ値が規定値を超えるＭＴＦ特性の特異点を検出する検出ステップと、
前記検出ステップにより検出されたＭＴＦ特性の特異点を補正する補正係数を設定する設定ステップと、
前記検出ステップにより検出されたＭＴＦ特性の特異点の位置を示すデータ、前記設定ステップにより設定された補正係数を保存する記憶ステップと、を有することを特徴とする制御方法。
【請求項１３】
光源により照明した原稿の反射光を屈折率分布型レンズアレイによりラインセンサに集光することで原稿の画像を読み取る画像読取装置の制御方法において、
前記画像読取装置に装填された検査原稿の読取結果に基づき算出された、前記屈折率分布型レンズアレイのＭＴＦ（Modulation Transfer Function）特性の特異点の位置を示すデータ、ＭＴＦ特性の特異点の補正処理に関するデータを保存する記憶ステップと、
前記記憶ステップで保存されたデータに基づきＭＴＦ特性の特異点を補正する補正ステップと、を備えることを特徴とする制御方法。
【発明の詳細な説明】
【技術分野】
【０００１】
本発明は、原稿を読み取る際の解像度不均一性に起因した非解像スジを改善する場合に好適な画像読取装置及び制御方法に関する。
【背景技術】
【０００２】
従来、画像読取装置（ファクシミリ、イメージスキャナ、デジタル複写機等）に搭載される画像読取機構としては、縮小光学系のＣＣＤを用いて原稿画像を電気信号に光電変換する画像読取機構がある。これに対し、近年では、単結晶シリコンチップをマルチに実装した等倍光学系の密着型イメージセンサ（ＣＩＳ：Contact Image Sensor）を用いた製品開発もめざましくなっている。
【０００３】
しかし、上記の等倍光学系の密着型イメージセンサを用いた画像読取装置では、複数個の屈折率分布型レンズを順次平行に配置し（アレイ状）、原稿面からの反射光をラインセンサ上に集光する構成をとっている。そのため、屈折率分布型レンズアレイとラインセンサの調整精度や、屈折率分布型レンズアレイ単体の光学精度が、原稿から読み取った画像の画質に大きく影響を与えることがある。
【０００４】
特に、屈折率分布型レンズアレイは、個々のレンズ毎の調整・制御を実施することができないユニットとして構成されている。このような制約があるため、屈折率分布型レンズアレイを構成する個々のレンズの特性に起因して生じる問題としては、原稿から読み取った画像イメージに対して補正処理を施さないと画像不良となるケースを挙げることができる。
【０００５】
上記のような屈折率分布型レンズアレイに起因した問題点の解決を目的とした提案は数が少ない。従来、原稿から画像を読み取り画像形成を行う画像形成装置に関しては、ＭＴＦ（Modulation Transfer Function）補正条件を適正化する技術が提案されている（例えば、特許文献１参照）。
【０００６】
画像形成装置では以下のような画質劣化が課題となっている。画像形成装置の各構成部の経時的な劣化、特に露光ランプの輝度低下等により、画像形成装置の使用環境や個体差と相まって、出荷時に設定した画質の劣化に至っている。
【０００７】
上記特許文献１記載の技術は、原稿を読み取って得た画像データに対してＭＴＦ補正手段によりＭＴＦ補正を行うものであり、画質劣化の解決策として以下の構成を有する。所定パターンの印字データを格納する記憶手段。印字データに基づいて形成されたテストパターン画像を読み取る手段。読取画像とテストパターン画像を比較する手段。比較結果に基づき、読取画像とテストパターン画像の差異が許容範囲になるようにＭＴＦ補正条件を切り替える手段。
【０００８】
また、上記のＭＴＦ補正に関しては以下の技術が提案されている（例えば、特許文献２参照）。
【０００９】
上記特許文献２記載の技術は、一律の強度でスムージング処理を行うと再現された画像に不自然さが生じることを解消すべく、必要な部分に必要な補正処理を施して自然な再現画像を生成するために以下の構成を有する。原稿を色分解して読み取った各色成分毎の画像データに基づいて、色領域毎にＭＴＦ補正条件を決定する手段。エッジ部と濃度平坦部を判別する領域判別手段。色領域毎にＭＴＦ補正条件を切り替える手段。
【特許文献１】特開平９-２６１４９０号公報
【特許文献２】特開平９-２３８２６１号公報
【発明の開示】
【発明が解決しようとする課題】
【００１０】
上述した屈折率分布型レンズアレイは、屈折率分布型レンズを順次平行に配置してアレイ状とした構造を有する。製造工程で途中の１つの屈折率分布型レンズが斜めになると、複数個の屈折率分布型レンズに渡って斜めに組み付けられることがあり、部分的に光軸が斜めの物が生じる可能性がある。光軸がずれると解像力に差を生じ、読取対象の原稿に対するピントがズレ、画像がぼやけている部分と確実に解像できている部分が生じてしまう。即ち、等倍光学系の密着型イメージセンサで読み取った画像の解像力が、読み取った主走査位置によって異なるという問題がある。
【００１１】
本発明の目的は、屈折率分布型レンズアレイの製造上のバラツキに影響を受けない安定した画質の読取画像を得ることを可能とした画像読取装置及び制御方法を提供することにある。
【課題を解決するための手段】
【００１２】
上述の目的を達成するために、本発明は、光源により照明した原稿の反射光を屈折率分布型レンズアレイによりラインセンサに集光することで原稿の画像を読み取る画像読取装置において、前記画像読取装置に装填された検査原稿の読取結果に基づき、前記屈折率分布型レンズアレイのＭＴＦ（Modulation Transfer Function）特性を調整可能に構成され、前記屈折率分布型レンズアレイのＭＴＦ特性の調整時に決定された前記検査原稿の装填位置を示すデータを保存する記憶手段、を備えることを特徴とする。
【００１３】
また、本発明は、光源により照明した原稿の反射光を屈折率分布型レンズアレイによりラインセンサに集光することで原稿の画像を読み取る画像読取装置において、前記画像読取装置に装填された検査原稿の読取結果に基づき、前記屈折率分布型レンズアレイのＭＴＦ（Modulation Transfer Function）値を算出する算出手段と、前記算出手段により算出されたＭＴＦ値が規定値を超えるＭＴＦ特性の特異点を検出する検出手段と、前記検出手段により検出されたＭＴＦ特性の特異点を補正する補正係数を設定する設定手段と、前記検出手段により検出されたＭＴＦ特性の特異点の位置を示すデータ、前記設定手段により設定された補正係数を保存する記憶手段と、を備えることを特徴とする。
【００１４】
また、本発明は、光源により照明した原稿の反射光を屈折率分布型レンズアレイによりラインセンサに集光することで原稿の画像を読み取る画像読取装置において、前記画像読取装置に装填された検査原稿の読取結果に基づき算出された、前記屈折率分布型レンズアレイのＭＴＦ（Modulation Transfer Function）特性の特異点の位置を示すデータ、ＭＴＦ特性の特異点の補正処理に関するデータを保存する記憶手段と、前記記憶手段に保存されたデータに基づきＭＴＦ特性の特異点を補正する補正手段と、を備えることを特徴とする。
【発明の効果】
【００１５】
本発明によれば、屈折率分布型レンズアレイのＭＴＦ特性の調整時に決定された検査原稿の装填位置を示すデータを保存しておく。或いは、ＭＴＦ特性の特異点の位置を示すデータ、補正係数を保存しておく。或いは、ＭＴＦ特性の特異点の位置を示すデータ、ＭＴＦ特性の特異点の補正処理に関するデータに基づきＭＴＦ特性の特異点を補正する。これにより、屈折率分布型レンズアレイの製造上のバラツキに影響を受けない安定した画質の読取画像を得ることが可能となる。
【発明を実施するための最良の形態】
【００１６】
以下、本発明の実施の形態を図面に基づいて説明する。
【００１７】
通常、等倍光学系の密着型イメージセンサを構成する屈折率分布型レンズアレイの解像度斑は、その製造仕様の範囲でのバラツキであるため、単品不良と言うわけではなく、ベタ濃度原稿ではその影響は無い。しかし、新聞の写真等の網点画像の原稿は小さな点の集合でイメージを形成しているため、画像読取装置側で点が再現されなければ画質が劣化することになる。従って、センサにおける解像力の低い領域は周囲よりも不鮮明な画像イメージを結像することになる。
【００１８】
本実施の形態では、屈折率分布型レンズアレイの製造上のバラツキに起因する解像度斑により生じる、網点画像の解像力不良スジを改善する手法を提案し、等倍光学系の密着型イメージセンサにおいて従来は不具合品としていたものの歩留まりを改善する。即ち、規定レベル以上の解像度斑を含んだ屈折率分布型レンズアレイを搭載した等倍光学系の密着型イメージセンサにおける、解像度斑の影響を抑制し、安定した画質の読取画像を得ることを実現する。
【００１９】
尚、本発明においては、屈折率分布型レンズアレイとラインセンサからなる密着型イメージセンサも画像読取装置と称し、密着型イメージセンサとコントローラ（制御系）からなる装置も画像読取装置と称する。以下で説明する図３に関わる内容は請求項１に対応し、図７及び図１２に関わる内容は請求項２に対応し、図９及び図１１に関わる内容は請求項３に対応する。
【００２０】
［第１の実施の形態］
図１は、本発明の第１の実施の形態に係る屈折率分布型レンズアレイと密着型イメージセンサの構成を示す斜視図である。図１（ａ）は、屈折率分布型レンズアレイを示す斜視図、図１（ｂ）は、画像読取装置としての密着型イメージセンサを示す斜視図である。尚、図１（ｂ）では密着型イメージセンサの内部を透視した様子を示している。
【００２１】
図１（ａ）において、屈折率分布型レンズアレイ１０１は、ＦＲＰ（Fiber Reinforced Plastics）プレート１０２、複数個の屈折率分布型レンズ１０３を備えている。
【００２２】
屈折率分布型レンズアレイ１０１のＦＲＰプレート１０２は、繊維により強度を向上させたＦＲＰ（ガラス繊維強化プラスチック）から形成されている。ＦＲＰは、一般的に、耐熱性、対候性、対薬性、電気絶縁性、断熱性に優れた材質である。複数個の屈折率分布型レンズ１０３は、ＦＲＰプレート１０２の内部に積層状態に配置されると共に、レンズ間の隙間を黒いシリコン樹脂で充填した構成を有する。
【００２３】
図１（ｂ）において、密着型イメージセンサ１０５は、原稿照明光源１０６、屈折率分布型レンズアレイ１０７、外装部材１０８、ラインセンサ１０９、基板１１０、コネクタ１１１を備えている。
【００２４】
密着型イメージセンサ１０５は、外装部材１０８の内部に、原稿照明光源１０６、屈折率分布型レンズアレイ１０７、ラインセンサ１０９、基板１１０が配置されている。即ち、複数のチップがシリアルに配置された等倍光学系のラインセンサ１０９を基板１１０上に実装し、ラインセンサ１０９に対して平行に屈折率分布型レンズアレイ１０７を配置した構成を有する。原稿照明光源１０６は、読取対象物を照明するものであり、具体的にはキセノンランプ、白色発光ダイオード（ＬＥＤ）等の一定光量での安定度が高い（配光斑の少ない）低消費電力型の光源群から選択される。
【００２５】
密着型イメージセンサ１０５においては、原稿照明光源１０６により照明した原稿の反射光を屈折率分布型レンズアレイ１０７によりラインセンサ１０９に集光することで原稿の画像を読み取る。
【００２６】
図２は、屈折率分布型レンズアレイによるＭＴＦ特性の特異点の網点画像に対する影響度とＭＴＦ補正処理の効果を説明する図である。
【００２７】
図２において、２０１（ａ）、２０２（ａ）は、網点画像の例を示しており、図示の通り、２０２（ａ）の点の方がやや大きくなっている。また、画像読取装置において屈折率分布型レンズアレイのＭＴＦ特性が低い部分で網点画像２０１（ａ）、２０２（ａ）を読み取った画像のイメージが、２０１（ｂ）、２０２（ｂ）に示すものである。
【００２８】
画像２０１（ｂ）において点線で挟まれた領域２０１-１と、画像２０２（ｂ）において点線で挟まれた領域２０２-１が、うまく解像できていない画像となっている。これは、密着型イメージセンサ上に結像される原稿の画像イメージが解像されていない（点が再現されていない）ことに起因しているためであり、主走査方向の同じ位置が、副走査方向に薄くスジのような画像として再現される。
【００２９】
また、２０２（ｃ）に示す画像は、２０２-２で示す解像されていない領域（２０２-１と同じ領域）に対して、２０２-３で示す領域だけＭＴＦを高くするエッジ強調系のＭＴＦ補正フィルタ処理を施した結果である。即ち、局所的にＭＴＦが劣化している領域に対してＭＴＦ補正フィルタ処理を施すことにより、ほとんど元の原稿状態に改善させる効果を確認することができる。
【００３０】
このことから、ユニット毎に製造上のバラツキを有する屈折率分布型レンズアレイに対して、個々にＭＴＦ特性の特異点を検出することができさえすれば、次のことが可能となる。即ち、ＭＴＦ特性の解像度斑を有する屈折率分布型レンズアレイを、解像度斑が少ない屈折率分布型レンズアレイと同様に使いこなすことが可能となる。これにより、画像読取装置の製造工程における手直しを大幅に削減することが可能となる。
【００３１】
尚、２０３（ａ）、２０３（ｂ）には、ベタ濃度原稿の場合の例を示している。但し、上述した通り、ＭＴＦが劣化している領域２０３に対しても差が無く、均一濃度領域はＭＴＦ特性の影響を受けにくいことが分かる。
【００３２】
次に、密着型イメージセンサにおけるＭＴＦ特性の合わせ込みの概略について図３に基づき説明する。
【００３３】
図３は、画像読取装置としての密着型イメージセンサ単体におけるＭＴＦ調整を説明する斜視図である。
【００３４】
図３において、密着型イメージセンサでは、基板３０１に実装されたラインセンサ３０２に対して規定の高さとなる位置に屈折率分布型レンズアレイ３０３が配置される。通常、基板３０１の上面には規定の高さのスペーサ３０４がセットされている。屈折率分布型レンズアレイ３０３を上方からスペーサ３０４に落とし込むイメージで屈折率分布型レンズアレイ３０３の位置出しを行う。１度位置出しを行った屈折率分布型レンズアレイ３０３は、移動しないように接着剤によりスペーサ３０４の周辺で固定される。
【００３５】
図３では密着型イメージセンサを駆動制御する電装系は図示していないが、この状態で、密着型イメージセンサを駆動制御し、万線チャート３０５を矢印３０６で示すように上下方向に高さを調整する。これにより、規定のＭＴＦ値となる検査原稿（本実施の形態では万線チャート３０５）の高さを決定する。
【００３６】
図３に示す万線チャート３０５は、ガラス等から構成され、多数のスリットが形成された透過型万線チャートの例である。本実施の形態では、万線チャートとして、光源からの照射光を透過する透過型万線チャートを例に挙げているが、これに限定されるものではなく、光源からの照射光を反射する反射型万線チャートを用いてもよい。
【００３７】
基板３０１に実装されたラインセンサ３０２により万線チャート３０５を読み取るためには、万線チャート３０５の裏から光源（不図示）により平行な光線を万線チャート３０５に照射する必要がある。ラインセンサ３０２は万線チャート３０５の透過光を読み取っていることになる。
【００３８】
また、密着型イメージセンサは、ＭＴＦ値の測定中に外装部材３０７を装着しておかないと、密着型イメージセンサ内部に外光が侵入する。そのため、実際には密着型イメージセンサに外装部材３０７を装着した状態でＭＴＦ値の測定を行うが、密着型イメージセンサの光源は図示を省略している。
【００３９】
上述したＭＴＦ調整を行うことで、密着型イメージセンサにおける局所的なＭＴＦの不具合を除去することができ、密着型イメージセンサの平均的なＭＴＦ特性をほぼ規定の範囲に収めることができる。更に、ＭＴＦ調整時に決定された検査原稿の高さを示すデータ（検査原稿の装填位置を示すデータ）をメモリ（不図示、記憶手段）に保存しておく。組立時に前記メモリに保存されている検査原稿の高さに対応させてスペーサ３０８を基板３０１上に装着する。これにより、プラテンガラス３０９上に載置される原稿に対しての平均的なＭＴＦ特性を保証することが可能となる。
【００４０】
次に、ＭＴＦ値の算出方法について図４に基づき説明する。
【００４１】
図４は、ＭＴＦ値の算出方法を説明する図であり、（ａ）は、万線チャートを示す図、（ｂ）は、万線チャートの読取信号を示す図、（ｃ）は、万線チャートの読取信号を示す図である。
【００４２】
図４（ａ）に示す万線チャート（ＭＴＦチャート）４０１は、通常、解像度が６００dpi相当であり、６lp（line pare）/mmである。万線チャート４０１を用いて下記の測定を行う。例えば、図４（ｂ）に示す信号４０２の読み取りイメージは、白レベルがａ１・４０４で表され、黒レベルがｂ１・４０５ で表される。この場合、コントラスト測定法ではコントラストＣ１は、
Ｃ１ ＝ ( ａ１ − ｂ１ ) ／ ( ａ１ ＋ ｂ１ )
となる。
【００４３】
同様に、図４（ｃ）に示す信号４０３の読み取りイメージは、白レベルがａ２・４０６で表され、黒レベルがｂ２・４０７ で表される。この場合、コントラスト測定法ではコントラストＣ２は、
Ｃ２ ＝ ( ａ２ − ｂ２ )  ／ ( ａ２ ＋ ｂ２ )
となる。
【００４４】
上記の、ａ１ − ｂ１、ａ２ − ｂ２、ａ１ ＋ ｂ１、ａ２ ＋ ｂ２の大小関係は、図４から、
ａ１ −  ｂ１  ＞  ａ２ − ｂ２
ａ１ ＋  ｂ１  ＜  ａ２ ＋ ｂ２
である。
【００４５】
従って、小さい（ａ２ − ｂ２) を大きい（ａ２ ＋ ｂ２）で除算しているＣ２の方がＣ１より小さくなり、計算上、Ｃ２のＭＴＦ特性が悪いことが分かる。即ち、万線チャート４０１の白レベル、黒レベルが正確に読み取れていないことを意味し、万線チャート４０１に対して解像力が不足していることを示している。尚、図４に示す例では、主走査方向のＭＴＦ特性が均一であることを前提で説明している。
【００４６】
本実施の形態では、図４に示したように、万線チャート（検査原稿）は、屈折率分布型レンズアレイの配列方向に対応して少なくとも２種類の色（白、黒）の部分が交互に配列されている。後述する画像読取装置のコントローラは、密着型イメージセンサにより万線チャート（検査原稿）を読み取った際の前記２種類の色の読取レベル（白レベル、黒レベル）に基づきＭＴＦ値を算出する。
【００４７】
次に、屈折率分布型レンズアレイの不具合の発生例について図５に基づき説明する。
【００４８】
図５は、ＭＴＦ特性の特異点を説明する図であり、（ａ）は、万線チャートを示す図、（ｂ）は、万線チャートの読取信号を示す図、（ｃ）は、屈折率分布型レンズの配列を示す図である。
【００４９】
図５（ａ）の白と黒で構成される万線チャート５０１を読み取った結果が、図５（ｂ）の５０２に示す波形となる。図５（ｂ）の領域５０３においては、局所的にＭＴＦ特性が悪化している。正常な領域では、白レベルがａ３・５０４で表され、黒レベルがｂ３・５０５ で表される。これに対し、領域５０３では、白レベルがａ４・５０６、黒レベルがｂ４・５０７となり、白と黒で構成される万線チャート５０１が解像できていない（正常に読み取れていない）ことが分かる。
【００５０】
この場合、コントラスト測定法では、
Ｃ３ ＝ ( ａ３ − ｂ３ )  ／  ( ａ３ ＋ ｂ３ )
Ｃ４ ＝ ( ａ４ − ｂ４ )  ／  ( ａ４ ＋ ｂ４ ) 
ａ３ − ｂ３  ＞  ａ４ − ｂ４
ａ３ ＋ ｂ３  ＜  ａ４ ＋ ｂ４
である。
【００５１】
従って、小さい（ａ４ − ｂ４）を大きい（ａ４ ＋ ｂ４）で除算しているＣ４の方がＣ３より小さくなり、計算上、Ｃ４のＭＴＦ特性が悪いことが分かる。即ち、万線チャート５０１の白レベルと黒レベルが正確に読み取れていないことを意味し、万線チャート５０１に対して解像力が不足していることを示している。
【００５２】
図５（ｃ）の屈折率分布型レンズアレイの例では、５０８は、光軸が曲がることなく正常に配列されている屈折率分布型レンズであることを示している。また、５０９は、光軸が曲がって配列されている屈折率分布型レンズであることを示している。
【００５３】
上述したＭＴＦ値の算出方法を用いることにより、密着型イメージセンサの屈折率分布型レンズアレイの全域に対してＭＴＦ値を計算することは難しいことでは無い。密着型イメージセンサの屈折率分布型レンズアレイの全域のＭＴＦ値の平均である平均ＭＴＦ値に対して、例えば１０％以上ＭＴＦ値が低い画素領域を抽出し、抽出した画像領域に対してエッジ強調系のフィルタ処理を施すことが可能となる。
【００５４】
図６は、３×３の単純なスムージングフィルタ６０３と３×３の単純なエッジ強調フィルタ６０４の例を示す図である。
【００５５】
図６において、スムージングフィルタ６０３の処理は以下の通りである。イメージ６０１において左上の “０”をフィルタ演算の開始ポイントとして、順次、フィルタ演算を実行すると、以下のようになる。
【００５６】
( ０×１/９ + ０×１/９ + １×１/９ ) + ( ０×１/９ + ０×１/９ + １×１/９ ) + ( ０×１/９ + ０×１/９ + １×１/９ ) = １/３ ≒ ０.３
順次、フィルタ演算の開始ポイントをずらしていくと、６０５に示す結果となる。
【００５７】
同様に、エッジ強調フィルタ６０４の処理は以下の通りである。イメージ６０２において左上の “０”をフィルタ演算の開始ポイントとして、順次、フィルタ演算を実行すると、以下のようになる。
【００５８】
( ０×-１ + ０×-１ + １×-１ ) + ( ０×-１ + ０×-９ + １×-１ ) + ( ０×-１ + ０×-１ + １×-１ ) = -３
順次、フィルタ演算の開始ポイントをずらしていくと、６０６に示す結果となる。
【００５９】
実際には、特異点のＭＴＦレベルを平均値まで持ち上げる或いは引き下げるためにフィルタ演算を行うため、次のように補正処理を行う。計算結果に応じたスムージングフィルタ（ＬＰＦ：ローパスフィルタ）、エッジ強調フィルタ（ＨＰＦ：ハイパスフィルタ）を選択して補正処理を行う。尚、スムージングフィルタやエッジ強調フィルタの導出方法は一般的な文献に詳細が記載されているため、ここでは説明を省略する。
【００６０】
次に、上述した密着型イメージセンサとコントローラからなる画像読取装置の構成例について図７に基づき説明する。
【００６１】
図７は、画像読取装置の構成例を示すブロック図である。
【００６２】
図７において、画像読取装置は、コントローラ７０１（検出手段、補正手段、算出手段、設定手段）と、密着型イメージセンサ７２１から大略構成されている。この場合、密着型イメージセンサ７２１（屈折率分布型レンズアレイとラインセンサを有するユニット）は、画像読取装置の筐体に対して交換可能に構成されている。
【００６３】
コントローラ７０１は、ＣＰＵ７０２、ＲＯＭ７０３、ＲＡＭ７０４、ＥＥＰＲＯＭ７０５（記憶手段、第２の記憶手段）、イメージプロセッサ７０６、アナログフロントエンド（ＡＦＥ）７０８、入出力（Ｉ／Ｏ）インタフェース７０９を備えている。
【００６４】
密着型イメージセンサ７２１は、ラインセンサ７２２、屈折率分布型レンズアレイ（不図示）、ドライバＩＣ７２３、トランジスタ回路７２４、原稿照明光源７２５、インタフェース７２７、メモリ７２８（記憶手段）を備えている。
【００６５】
コントローラ７０１において、ＣＰＵ７０２は、画像読取装置各部の制御を司るものであり、データバスとアドレスバスを介してコントローラ内部の各部と接続されている。ＲＯＭ７０３には、画像読取装置各部の制御を実行するためのソフトウェア（プログラム）が格納されている。ＣＰＵ７０２は、ＲＯＭ７０３に格納されているプログラムをＲＡＭ７０４のワーク領域に展開し実行する。
【００６６】
ＥＥＰＲＯＭ７０５は、バックアップメモリであり、ＭＴＦ特性の特異点の位置を示すデータ、ＭＴＦ値の検出結果、ＭＴＦ補正フィルタの選択結果等、画像読取装置起動時の設定データを記憶する。また、ＥＥＰＲＯＭ７０５は、密着型イメージセンサ７２１を構成する屈折率分布型レンズアレイとラインセンサとの間の規定画素間隔毎の解像度又は画素単位での解像度を記憶する。
【００６７】
イメージプロセッサ７０６は、主にシェーディング補正処理とその他の画像処理全般を実行するが、以下の機能も併せ持つ。密着型イメージセンサ７２１のインタフェース（Ｉ／Ｆ）７２７ を介して、センサ駆動パルスを生成する機能。アナログ信号として出力されるセンサ出力信号をデジタル信号に変換するＡＦＥ７０８の制御パルスを生成する機能。また、イメージプロセッサ７０６は、内部にラインメモリ７０７を備える。
【００６８】
ラインメモリ７０７は、一般的には、密着型イメージセンサ７２１のライン間補正（Ｒ、Ｇ、Ｂセンサの副走査方向の読み取り位置のずれ補正）に用いられる。本実施の形態では、ラインメモリ７０７は、ＭＴＦ補正フィルタ処理の実行用として用いられる。イメージプロセッサ７０６で画像処理を施された画像信号は、入出力Ｉ／Ｆ７０９を介して画像形成装置７１９に転送（電送）される。ＡＦＥ７０８は、密着型イメージセンサ７２１から転送されるアナログ信号をデジタル信号に変換し、イメージプロセッサ７０６に入力する。
【００６９】
密着型イメージセンサ７２１は、一体構成を有するが、原稿照明光源７２５とセンサ部（７２２、７２３、７２４）は独立して設けられている。通常、原稿照明光源７２５は、密着型イメージセンサ７２１の外部に配置されたインバータ７２６を介して、コントローラ７０１のＣＰＵ７０２もしくはイメージプロセッサ７０６により点灯／消灯が制御される。
【００７０】
密着型イメージセンサ７２１では、コントローラ７０１のイメージプロセッサ７０６から供給された駆動信号がＩ／Ｆ７２７を介してドライバＩＣ７２３に入力されることで、ラインセンサ７２２が駆動される。また、密着型イメージセンサ７２１は、アナログ信号出力タイプであるため、原稿読み取りに伴うアナログ信号がトランジスタ回路７２４を介してＩ／Ｆ７２７からＡＦＥ７０８に送信される。
【００７１】
密着型イメージセンサ７２１のメモリ７２８は、ＥＥＰＲＯＭ等からなるバックアップメモリである。図７の構成例では、密着型イメージセンサ７２１のＭＴＦ調整時のＭＴＦ特性の特異点を検出し、ＭＴＦ特性の特異点の位置を示すデータ（ユニット特性）をメモリ７２８に保存する。また、メモリ７２８には、ＭＴＦ補正フィルタの係数（後述）を保存してもよい。即ち、コントローラ７０１は、密着型イメージセンサ７２１がコントローラ７０１と接続された時に、メモリ７２８と通信する。これにより、メモリ７２８に保存されているデータをＲＡＭ７０４に展開してＭＴＦ特性の特異点を補正する処理に用いる。
【００７２】
或いは、上記の密着型イメージセンサ７２１のＭＴＦ調整時のＭＴＦ特性の特異点を検出した際のデータをコントローラ７０１のＥＥＰＲＯＭ７０５に記憶する。これにより、ＥＥＰＲＯＭ７０５に記憶されているデータを画像読取装置の起動時にＲＡＭ７０４に展開してＭＴＦ特性の特異点補正に用いる。
【００７３】
本実施の形態では、ＭＴＦ特性の特異点の位置を示すデータ、ＭＴＦ補正フィルタの係数（後述）を記憶するメモリを設置する箇所は、特定の箇所に限定されるものではなく、次のいずれかであればよい。即ち、メモリは、屈折率分布型レンズアレイとラインセンサを有するユニット側（密着型イメージセンサ側）、画像読取装置の制御側（コントローラ側）のいずれかに装備される。
【００７４】
本実施の形態は以下の特徴を有する。画像読取装置に装填された万線チャート（検査原稿）の読取結果に基づき、屈折率分布型レンズアレイのＭＴＦ値を算出する。算出されたＭＴＦ値が規定値を超えるＭＴＦ特性の特異点を検出し、検出されたＭＴＦ特性の特異点を補正するＭＴＦ補正フィルタの係数（補正係数）を設定する。検出されたＭＴＦ特性の特異点の位置を示すデータ、設定された補正係数を保存する。保存されたデータに基づきＭＴＦ特性の特異点を補正する。
【００７５】
上記ＭＴＦ補正フィルタの係数（補正係数）としては、色毎に異なる係数を設定することが可能である。また、ＭＴＦ特性の特異点を補正する補正対象領域において複数のＭＴＦ補正フィルタの係数（補正係数）を切り替えると共に、補正対象領域の中央部の補正係数を補正対象領域の両端部の補正係数より大きくなるよう設定する。
【００７６】
次に、画像読取装置においてＭＴＦ特性の特異点の検出とＭＴＦ補正パラメータの抽出を行う場合の手法について図１２のフローチャートに基づき説明する。
【００７７】
図１２は、画像読取装置におけるＭＴＦ特性の特異点の検出とＭＴＦ補正パラメータの抽出を行う場合の手法を示すフローチャートである。
【００７８】
図１２において、画像読取装置のコントローラ７０１は、ＭＴＦ調整モードの処理を開始する（ステップＳ１２０１）。ここでは、通常、ユーザが操作する（触る）ことのできないサービスモードもしくは工場モードと呼ばれるＭＴＦ調整モードを前提にしている。ユーザは万線チャート（ＭＴＦチャート）を画像読取装置のプラテンガラスまたは原稿給送機構の原稿トレイにセットし、操作部のコピーボタン（以上不図示）を押下する（ステップＳ１２０２）。
【００７９】
コントローラ７０１は、ユーザによるコピーボタンの押下をトリガとして、密着型イメージセンサ７２１のラインセンサ７２２とＡＦＥ７０８の駆動制御を開始する（ステップＳ１２０３）。更に、コントローラ７０１は、密着型イメージセンサ７２１の原稿照明光源７２５（ランプ）の点灯制御と、シェーディング補正処理を実行する（ステップＳ１２０４）。
【００８０】
次に、コントローラ７０１は、画像読取装置のプラテンガラス上に載置された万線チャートを読み取る固定読みか、原稿給送機構の原稿トレイにセットされた万線チャートをプラテンガラス上に搬送しながら読み取る流し読みかに応じた制御を行う。即ち、コントローラ７０１は、固定読みの時は密着型イメージセンサ７２１の移動を開始し、流し読みの時は万線チャートの搬送を開始する（ステップＳ１２０５）。
【００８１】
コントローラ７０１は、イメージプロセッサ７０６から出力される画先信号（形成対象の画像の先端に相当する画像信号）を検出したかどうかを判定する（ステップＳ１２０７）。画先信号を検出していない場合は、コントローラ７０１は、タイマにより計時した時間が設定時間を経過したかどうかを判定する（ステップＳ１２１８）。コントローラ７０１は、設定時間を経過した場合は、表示部（不図示）にエラーを表示し、設定時間以内の場合は、ステップＳ１２０６に戻り、ステップＳ１２０７で画先信号を待機する。
【００８２】
画先信号を検出した場合は、コントローラ７０１は、密着型イメージセンサ７２１により万線チャートの読取走査を開始し（ステップＳ１２０８）、万線チャートの主走査方向の全域のＭＴＦ値を算出するＭＴＦ演算を実行する（ステップＳ１２０９）。更に、コントローラ７０１は、ＭＴＦ演算により得たＭＴＦ値データをＥＥＰＲＯＭ７０５に記憶する（ステップＳ１２１２）。
【００８３】
次に、コントローラ７０１は、ＥＥＰＲＯＭ７０５に記憶されたＭＴＦ値データを基にＭＴＦ特性の特異点のサーチ（検索）を実行し（ステップＳ１２１３）、そのサーチ結果に基づいてＭＴＦ補正フィルタを選択する（ステップＳ１２１４）。コントローラ７０１は、ステップＳ１２１５を介して、上記検出したＭＴＦ特性の特異点の位置を示すデータ、上記選択したＭＴＦ補正フィルタをＥＥＰＲＯＭ７０５またはメモリ７２８に記憶する（ステップＳ１２１６）。これにより、本処理を終了する（ステップＳ１２１７）。
【００８４】
以上説明したように、本実施の形態によれば以下の効果を奏する。背景技術で説明した通り、屈折率分布型レンズアレイを搭載した密着型イメージセンサにより網点画像の原稿を読み取る際、屈折率分布型レンズアレイの製造上のバラツキで生じる解像力不足に起因して読取画像にスジが発生する。本実施の形態では、ＭＴＦ特性の特異点を特定し、ＭＴＦ特性の特異点の周辺にＭＴＦ補正フィルタ処理を施すことで、読取画像のスジを解消する。これにより、屈折率分布型レンズアレイの製造上のバラツキに影響を受けない安定した画質の読取画像を得ることが可能となる。
【００８５】
［第２の実施の形態］
図８は、本発明の第２の実施の形態に係る画像読取装置の構成例を示すブロック図である。
【００８６】
図８において、画像読取装置のコントローラ８０１は、ＣＰＵ８０２、ＲＯＭ８０３、ＲＡＭ８０４、ＥＥＰＲＯＭ ８０５、イメージプロセッサ８０６、入出力Ｉ／Ｆ８０９を備えている。密着型イメージセンサ８２１は、ラインセンサ８２２、屈折率分布型レンズアレイ（不図示）、ドライバＩＣ８２３、トランジスタ回路８２４、原稿照明光源８２５、Ｉ／Ｆ８２７、メモリ８２８、ＡＦＥ８２９を備えている。
【００８７】
本実施の形態は、上記第１の実施の形態（図７）に対して、ＡＦＥ８２９を密着型イメージセンサ８２１側に装備した点において相違する。本実施の形態のその他の要素は、上記第１の実施の形態の対応するものと同一なので、説明を省略する。
【００８８】
ＡＦＥ８２９を密着型イメージセンサ８２１側に装備する利点は、主として、密着型イメージセンサ８２１からコントローラ８０１に転送する原稿イメージデータ（原稿から読み取った画像データ）がデジタル転送になることである。これにより、アナログ転送である図７の構成に対して、画像データの安定性が向上する。
【００８９】
密着型イメージセンサ８２１において、ラインセンサ８２２から出力されるアナログ信号は、トランジスタ回路８２４を介してＡＦＥ８２９に送出され、ＡＦＥ８２９によりデジタル信号（画像信号）に変換される。この後、画像信号は、Ｉ／Ｆ８２７を介してコントローラ８０１のイメージプロセッサ８０６に転送される。これ以外の動作は上記第１の実施の形態と同様である。
【００９０】
以上説明したように、本実施の形態によれば、上記第１の実施の形態と同様に、屈折率分布型レンズアレイの製造上のバラツキに影響を受けない安定した画質の読取画像を得ることが可能となる。
【００９１】
［第３の実施の形態］
図９は、本発明の第３の実施の形態に係る画像読取装置の構成例を示すブロック図である。
【００９２】
図９において、画像読取装置のコントローラ９０１は、ＣＰＵ９０２、ＲＯＭ９０３、ＲＡＭ９０４、ＥＥＰＲＯＭ ９０５、イメージプロセッサ９０６、入出力Ｉ／Ｆ９０９を備えている。密着型イメージセンサ９２１は、ラインセンサ９２２、屈折率分布型レンズアレイ（不図示）、ドライバＩＣ９２３、トランジスタ回路９２４、原稿照明光源９２５、Ｉ／Ｆ９２７、メモリ９２８、ＡＦＥ９２９、ＭＴＦプロセッサ９３１を備えている。
【００９３】
本実施の形態は、上記第２の実施の形態（図８）に対して、密着型イメージセンサ９２１内部においてＭＴＦ特性の特異点の補正を完結させる構成を有する点において相違する。本実施の形態のその他の要素は、上記第２の実施の形態の対応するものと同一なので、説明を省略する。
【００９４】
メモリ９２８は、ＥＥＰＲＯＭ等からなるバックアップメモリである。メモリ９２８には、密着型イメージセンサ９２１単体でＭＴＦ調整を実行した時の結果であるＭＴＦ特性の特異点の位置を示すデータ（画素位置データ）、ＭＴＦ補正フィルタに関するデータ等が記憶されている。
【００９５】
ＭＴＦプロセッサ９３１は、原稿の読取画像にシェーディング補正を行って得た画像信号に対して、メモリ９２８から読み出した上記データに基づきＭＴＦ補正処理（ＭＴＦ特性の特異点を補正する処理）をラインメモリ９３０を用いて実行する。これにより、ＭＴＦプロセッサ９３１からＩ／Ｆ９２７を介してコントローラ９０１に送出される画像信号に対しては、ＭＴＦ特性の特異点の影響は補正されていることになる。
【００９６】
即ち、画像読取装置が図９の構成を備えていれば、少なくともＭＴＦ特性の特異点に関しては、密着型イメージセンサ９２１がその不具合の発生時に交換された場合でも、画像読取装置による原稿の画像読み取りに影響を及ぼすことが無いという利点がある。
【００９７】
次に、密着型イメージセンサ単体での調整手順について図１１及び図１３に基づき説明する。
【００９８】
図１１は、密着型イメージセンサ単体でのＭＴＦ調整手順を示すフローチャートである。
【００９９】
図１１において、密着型イメージセンサ９２１のＭＴＦプロセッサ９３１は、ＭＴＦ調整モードの処理を開始し（ステップＳ１１０１）、ラインセンサ９２２とＡＦＥ９２９の駆動制御を開始する（ステップＳ１１０２）。更に、ＭＴＦプロセッサ９３１は、密着型イメージセンサ９２１の原稿照明光源９２５（ランプ）の点灯制御を行うと共に、ランプ点灯制御に同期してシェーディング補正処理を実行する（ステップＳ１１０３）。尚、密着型イメージセンサ単体でのＭＴＦ調整は、シェーディング補正処理を実行しなくても大よその調整は可能である。
【０１００】
次に、ＭＴＦプロセッサ９３１は、画像読取装置にセットされた万線チャート（ＭＴＦチャート）をラインセンサ９２２により読み取りながら、万線チャートの主走査方向の全域についてＭＴＦ演算を実行する（ステップＳ１１０４）。因みに、ＭＴＦ演算を行う際は、例えば図１３に示すような万線チャート１３０１の主走査方向の一定領域毎の平均ＭＴＦ値を順次算出する方法がある。６lpのチャート１３０４を用いた場合、白黒ライン１箇所１３０５に相当するセンサ画素は約２画素となり、１mm間隔で大よそ２４（２３．６）画素となる。
【０１０１】
そこで、図１３の式１３０６に示すように、２４画素領域毎に白レベルの平均W_aveと、黒レベルの平均B_aveを算出し、ＭＴＦ値を求める。センサ領域を構成するセンサ画素の数が例えば７４８８画素とすれば、３１２（＝７４８８÷２４）領域を演算し、比較すればよいことになる。
【０１０２】
万線チャート１３０１の計算結果からＭＴＦ特性の特異点領域Ｘ１・１３０２、Ｘ２・１３０３が検出された場合、ＭＴＦ特性の特異点領域Ｘ１・１３０２、Ｘ２・１３０３は、それぞれ、２４ｎ画素、２４ｍ画素で表すことができる（ｎ＜ｍ）。即ち、本実施の形態では、密着型イメージセンサ９２１のラインセンサ９２２により万線チャートを読み取った際の白レベルと黒レベルの読取値に基づきＭＴＦ値を算出する。
【０１０３】
次に、ＭＴＦプロセッサ９３１は、上記ＭＴＦ演算を実行しつつ、自動調整機構（不図示）を駆動することで万線チャート１３０１の高さを徐々に高くしていく（または低くしていく）（ステップＳ１１０６）。尚、万線チャート１３０１の高さは手動でも調整可能である。これにより、規定のＭＴＦ特性（領域）に合わせ込むことができる。更に、ＭＴＦプロセッサ９３１は、万線チャート１３０１の主走査方向の全域のＭＴＦ値の平均をとった平均ＭＴＦ値が目標値（ターゲット値）に達しているかどうかを判定する（ステップＳ１１０７）。
【０１０４】
平均ＭＴＦ値が目標値に達していない場合は、ＭＴＦプロセッサ９３１は、ステップＳ１１０５の処理に戻り、万線チャート１３０１の高さを再度調整する。平均ＭＴＦ値が目標値に達している場合は、ＭＴＦプロセッサ９３１は、ＭＴＦ調整で得たＭＴＦ調整データと、万線チャート１３０１の高さ条件を示すデータをメモリ９２８に記憶する（ステップＳ１１０８）。
【０１０５】
尚、通常、ＭＴＦ調整時に平均ＭＴＦ値を目標値に対して合わせ込みを行う場合、平均ＭＴＦ値が目標値に達した瞬間にＭＴＦ調整を停止するよりは、そのまま数ステップ、確認と演算を繰り返す。そして、調整パラメータの前後に余裕のある安定領域で調整を完了するのが一般的である。その詳細は省略する。
【０１０６】
次に、ＭＴＦプロセッサ９３１は、ＭＴＦ特性の特異点のサーチ（検索）を実行し（ステップＳ１１０９）、平均ＭＴＦ値（平均値）から規定レベル以上外れているＭＴＦ特性の特異点を検出すると共に、ＭＴＦ補正フィルタを選択する（ステップＳ１１１０）。この場合、ＭＴＦプロセッサ９３１は、平均値からのずれ量に応じて適切なＭＴＦ補正フィルタをメモリ９２８から選択する。
【０１０７】
ＭＴＦプロセッサ９３１は、ステップＳ１１１１を介して、上記検出したＭＴＦ特性の特異点の位置を示すデータ、上記選択したＭＴＦ補正フィルタの係数をメモリ９２８に記憶する（ステップＳ１１１２）。これにより、本処理を終了する（ステップＳ１１１３）。
【０１０８】
尚、ユーザはＭＴＦ調整終了後、ＭＴＦ調整時に決定された万線チャートの高さ条件に対して密着型イメージセンサが同じ条件となるように、画像読取装置のプラテンガラス上に決定された間隔となるようにスペーサ（不図示）を装着する。これにより、ＭＴＦ調整に関する制御と設定が完了となる。
【０１０９】
以上説明したように、本実施の形態によれば、上記第１の実施の形態と同様に、屈折率分布型レンズアレイの製造上のバラツキに影響を受けない安定した画質の読取画像を得ることが可能となる。
【０１１０】
［第４の実施の形態］
図１０は、本発明の第４の実施の形態に係る画像読取装置の構成例を示すブロック図である。
【０１１１】
図１０において、画像読取装置のコントローラ１００１は、ＣＰＵ１００２、ＲＯＭ１００３、ＲＡＭ１００４、ＥＥＰＲＯＭ １００５、イメージプロセッサ１００６、ＡＦＥ１００８、入出力Ｉ／Ｆ１００９を備えている。密着型イメージセンサ１０２１は、ラインセンサ１０２２、屈折率分布型レンズアレイ（不図示）、ドライバＩＣ１０２３、トランジスタ回路１０２４、原稿照明光源１０２５、Ｉ／Ｆ１０２７を備えている。
【０１１２】
本実施の形態は、上記第１の実施の形態（図７）に対して、次の点において相違する。密着型イメージセンサ１０２１からバックアップメモリを削除する。密着型イメージセンサ１０２１の屈折率分布型レンズアレイのＭＴＦ特性の特異点を示す情報を記載したラベル１０３２が密着型イメージセンサ１０２１に視認可能に添付される。入出力Ｉ／Ｆ１００９にマルチジョブコントローラ１０１１を介して操作部１０１２を接続する。本実施の形態のその他の要素は、上記第１の実施の形態の対応するものと同一なので、説明を省略する。
【０１１３】
ラベル１０３２は、上記のようにＭＴＦ特性の特異点を示す情報を記載したものであり、主に市場においてサービス担当者が密着型イメージセンサ１０２１の交換作業を行う際に必要となる。ラベル１０３２に記載された情報をサービス担当者が操作部１０１２から入力すると、マルチジョブコントローラ１０１１が入力情報を一旦受け取り、電送部１０１３と画像読取装置の入出力Ｉ／Ｆ１００９を介してＣＰＵ１００２に送出する。これに伴い、ＣＰＵ１００２は、密着型イメージセンサ１０２１のＭＴＦ補正データが変更された旨を確認し、ＥＥＰＲＯＭ１００５に格納する。
【０１１４】
サービス担当者は上記ラベル１０３２に記載されたＭＴＦ特性の特異点を示す情報の入力作業を行う。これにより、画像読取装置に対して交換された密着型イメージセンサ１０２１の有するＭＴＦ特性の特異点を示す情報に即した画像補正を実施することができ、画質の良好な原稿画像を得ることが可能となる。
【０１１５】
以上説明したように、本実施の形態によれば、上記第１の実施の形態と同様に、屈折率分布型レンズアレイの製造上のバラツキに影響を受けない安定した画質の読取画像を得ることが可能となる。
【０１１６】
［他の実施の形態］
上記各実施の形態では、画像読取装置の種類については言及しなかったが、本発明は、ファクシミリ、イメージスキャナ、デジタル複写機等の等倍光学系を用いた各種の画像読取装置に適用することが可能である。
【図面の簡単な説明】
【０１１７】
【図１】本発明の第１の実施の形態に係る屈折率分布型レンズアレイと密着型イメージセンサの構成を示す斜視図であり、（ａ）は、屈折率分布型レンズアレイを示す斜視図、（ｂ）は、画像読取装置としての密着型イメージセンサを示す斜視図である。
【図２】屈折率分布型レンズアレイによるＭＴＦ特性の特異点の網点画像に対する影響度とＭＴＦ補正処理の効果を説明する図である。
【図３】画像読取装置としての密着型イメージセンサ単体におけるＭＴＦ調整を説明する斜視図である。
【図４】ＭＴＦ値の算出方法を説明する図であり、（ａ）は、万線チャートを示す図、（ｂ）は、万線チャートの読取信号を示す図、（ｃ）は、万線チャートの読取信号を示す図である。
【図５】ＭＴＦ特性の特異点を説明する図であり、（ａ）は、万線チャートを示す図、（ｂ）は、万線チャートの読取信号を示す図、（ｃ）は、屈折率分布型レンズの配列を示す図である。
【図６】３×３の単純なスムージングフィルタと３×３の単純なエッジ強調フィルタの例を示す図である。
【図７】画像読取装置の構成例を示すブロック図である。
【図８】本発明の第２の実施の形態に係る画像読取装置の構成例を示すブロック図である。
【図９】本発明の第３の実施の形態に係る画像読取装置の構成例を示すブロック図である。
【図１０】本発明の第４の実施の形態に係る画像読取装置の構成例を示すブロック図である。
【図１１】密着型イメージセンサ単体でのＭＴＦ調整手順を示すフローチャートである。
【図１２】画像読取装置におけるＭＴＦ特性の特異点の検出とＭＴＦ補正パラメータの抽出を行う場合の手法を示すフローチャートである。
【図１３】ＭＴＦ演算を実行する際の演算領域の決め方を説明する図である。
【符号の説明】
【０１１８】
１０１  屈折率分布型レンズアレイ
７０１、８０１、９０１、１００１  コントローラ
７０５、８０５、９０５、１００５  ＥＥＰＲＯＭ
７２１、８２１、９２１、１０２１  密着型イメージセンサ
７２２、８２２、９２２、１０２２  ラインセンサ
７２５、８２５、９２５、１０２５  光源
７２８、８２８、９２８  メモリ
１０３２  ラベル
【図１】
2008278419.tif 000003
【図２】
2008278419.tif 000004
【図３】
2008278419.tif 000005
【図４】
2008278419.tif 000006
【図５】
2008278419.tif 000007
【図６】
2008278419.tif 000008
【図７】
2008278419.tif 000009
【図８】
2008278419.tif 000010
【図９】
2008278419.tif 000011
【図１０】
2008278419.tif 000012
【図１１】
2008278419.tif 000013
【図１２】
2008278419.tif 000014
【図１３】
2008278419.tif 000015